(57)【要約】【課題】  所要のボリューム感を有するも封筒に納める際には薄くすることが出来るような、新規な構造を備えた物品等の収容ケースを提供する。【解決手段】  ２個の、三方に側壁と該側壁から延設した端フラップとを有すると共に、一方に側壁と該側壁から延設した蓋フラップとを有する、箱が、互いの蓋フラップで接続することによって互いに相手の蓋となるように構成する。２個の箱は各々三方の側壁と該側壁から延設した端フラップとによりケース本体が形成され、このケース本体は残りの一方の側壁から延設した蓋フラップにより閉じられるが、この蓋フラップはまたもう一方のケース本体の蓋フラップに接続されており、２個の箱は互いに自身のケース本体が相手の蓋になることが出来る点に特徴を有する。【選択図】図１
2012192974.tif 000002
【特許請求の範囲】
【請求項１】
２個の、三方に側壁と該側壁から延設した端フラップとを有すると共に、一方に側壁と該側壁から延設した蓋フラップとを有する、箱が、互いの蓋フラップで接続することによって互いに相手の蓋となるように構成されている、物品等の収容ケース。
【請求項２】
隣り合う前記端フラップ同士が、一方に設けた差し込み片を他方に設けた切り込み部に差し込み得るように設けられて、組み立てや展開が自在である、請求項１に記載の物品等の収容ケース。
【請求項３】
２個の前記箱を閉じた時に閉じた状態を固定すべく、双方の前記端フラップ同士が着脱自在と成るような着脱手段が前記端フラップに設けられている、請求項１に記載の物品等の収容ケース。
【請求項４】
前記着脱手段が、一方の箱の前記端フラップに設けた差し込み片と該差し込み片を差し込むために他方の箱の前記端フラップに設けた切り込み部と、から成る請求項３に記載の物品等の収容ケース。
【請求項５】
２個の前記箱を開いて双方の背を近接させて立て掛けるべく、この近接状態を保つためのブリッジが設けられている、請求項１に記載の物品等の収容ケース。
【請求項６】
名刺ケースとして使用する請求項１に記載の物品等の収容ケース。
【発明の詳細な説明】
【技術分野】
【０００１】  この発明は２個の箱が互いの蓋フラップで接続することによって互いに相手の蓋となるように構成されている、新規な構造を備えた物品等の収容ケースに係り、従来の同型同大のケースと比較して、同じような収容量でありながら郵送等運送時にはおよそ半分の厚さにすることが可能な収容ケースに関する。
【背景技術】
【０００２】  従来より外観意匠に優れた紙函が多種提案されている。例えば特開２００４−３１４９９６号は組み立てや分解を容易にしたハート型を呈する菓子函に関するものである。【０００３】  名刺を収容する箱で一般的なものは、身と蓋とから成るセパレートタイプのものや蓋が一側に開くＢ式箱のような、紙製または合成樹脂製の箱である。セパレートタイプの名刺箱の一例として特開２００２−２２５８５４号の紙製名刺箱を上げる。またＢ式箱の一例として特開２００３−１８２２７９号の名刺入れ容器を上げる。この他、所謂キャラメル箱なども良く用いられているが、このいずれも名刺１００枚を収容するものでは箱の高さ（厚さ）が２〜３センチメートル程度になる。
【先行技術文献】
【特許文献】
【０００４】
【特許文献１】特開２００４−３１４９９６号公報
【特許文献２】特開２００２−２２５８５４号公報
【特許文献３】特開２００３−１８２２７９号公報
【発明の概要】
【発明が解決しようとする課題】
【０００５】  上述した特開２００４−３１４９９６号のものは、確かに外観は美しいのであるが直方体や立方体のものに比べて包装し難いと言う問題がある。プレゼントで郵送したい場合でも、市販の封筒にうまく収まらないことがままある。上掲の名刺箱は特開２００４−３１４９９６号のものに比べれば封筒に入れ易いように思われるが、実際にはやや厚い立方体であるため、小さな封筒では送れない、大きな封筒でも箱の角で破いてしまう虞がある、と言うような問題がある。とは言ってもただ封筒に入れたいがために薄く作るのでは芸がない。やはりそれなりのボリュームが感じられるものでなくてはいけない。【０００６】  なお印刷店では名刺が刷り上がると引き取りのために客に来店してもらっている。もしも郵送等運送が可能であれば、そのような面倒や時間の無駄を客に掛けなくて済む。なお長形３号の封筒を用いることが出来れば最低運賃で送ることが出来て経済的である。【０００７】  そこでこの発明は、所要のボリューム感を有するも封筒に納める際には薄くすることが出来るような、新規な構造を備えた物品等の収容ケースを提供することを課題とする。
【課題を解決するための手段】
【０００８】  上記課題は請求項１の発明によれば、２個の、三方に側壁と該側壁から延設した端フラップとを有すると共に、一方に側壁と該側壁から延設した蓋フラップとを有する、箱が、互いの蓋フラップで接続することによって互いに相手の蓋となるように構成することにより解決される。２個の箱は、各々三方の側壁と該側壁から延設した端フラップとによってケース本体が形成され、このケース本体を残りの一方の側壁から延設した蓋フラップにより閉じるのであるが、この蓋フラップはまたもう一方のケース本体の蓋フラップに接続されており、２個の箱は互いに自身のケース本体が相手の蓋になると言う構成を取っている点に特徴を有する。【０００９】  このようにして互いのケース本体同士を合わせることで蓋を閉じることが出来、これにより一つの纏まりのある物品等の収容ケースを得る。次にこの収容ケースを封筒に納めたいとする場合には、蓋を開くようにすることで、蓋フラップで繋がったおよそ半分の薄さのものになるのである。従って小さな封筒でも送れるようになり、例えばチョコレートであればバレンタインデーのプレゼントとして活用することが出来る。また例えば収容物が名刺であれば、刷り上がった名刺を客に引き取りに来てもらう手間を省くことが出来るから、面倒をなくして時間を節約するものとなる。これらは開封してから蓋を閉じるようにすると、再び一つの纏まりのあるボリューム感を有するものに戻る。【００１０】  次に隣り合う前記端フラップ同士が、一方に設けた差し込み片を他方に設けた切り込み部に差し込み得るように設けられて、組み立てや展開が自在であるものとすることが出来る。一方のフラップの差し込み片を他方のフラップの切り込み部に差し込むことでケース本体を組み立てるのである。従って運搬時や在庫時には平らに展開した状態で場所を取らないようにすることが出来、必要に応じて組み立てて収容ケースとすることが出来る。【００１１】  次に２個の前記箱を閉じた時に閉じた状態を固定すべく、双方の前記端フラップ同士が着脱自在と成るような着脱手段が前記端フラップに設けられているものとすることが出来る。双方の端フラップを着脱手段で固定すると、収容ケースの閉じた状態を固定して不本意には開かなくすることが出来る。またこの場合、前記着脱手段が、一方の箱の前記端フラップに設けた差し込み片と該差し込み片を差し込むために他方の箱の前記端フラップに設けた切り込み部と、から成るものとしても良い。この構成により差し込み片を切り込み部に差し込むことで閉じた状態を固定することが出来る。【００１２】  次に２個の前記箱を開いて双方の背を近接させて立て掛けるべく、この近接状態を保つためのブリッジが設けられているものとすることが出来る。上記の２個の前記箱を閉じた状態とは逆の、開き切った状態をブリッジにより固定することにより、２個の箱が互いに脚部の役割を担い合い双方で支え合って立つことが出来るようになる。従って箱を開放して収容物を取り出せる状態で立てておくことが出来るから、収容物が例えばチョコレートであれば取り出して食べやすいように置くことが可能となる。また商品ディスプレーとしても有効である。【００１３】  次に名刺ケースとして使用するものとすることが可能である。上述したように蓋を開いた状態では蓋フラップで繋がったおよそ半分の薄さのものになるので、封筒に納めることが出来るように成る。また例えば上述したような背側にブリッジを設けたものであれば、２個の箱を開き切った状態でフリッジにより固定して来客が取りやすいような形態の名刺ケースとすることが出来る。
【発明の効果】
【００１４】  この発明によれば２個の箱を互いの蓋フラップで接続することによって互いに相手の蓋となるように構成したので、従来の同型同大のケースと比較して同じような収容量でありながら、郵送等運送時には蓋を開くようにすることでおよそ半分の厚さになり封筒に納めることが出来るようになると共に、元に戻せば所要のボリューム感を出すことが出来る、と言う効果を奏して所期の目的が達成されている。
【図面の簡単な説明】
【００１５】
【図１】  実施例１を組み立てた状態を表す説明図である。
【図２】  展開図で表した説明図である。
【図３】  側面視した状態を表す説明図である。
【図４】  実施例２を平面視した状態を表す説明図である。
【図５】  実施例３を背面視した状態を表す説明図である。
【図６】  使用の状態を表す説明図である。
【発明を実施するための形態】
【００１６】  以下３つの実施例を図面に基づいて説明するが、この発明はこれ等の実施例にのみ限定されるものではない。
【実施例１】
【００１７】  図１乃至図３でこの実施例の物品等の収容ケースを表す。この収容ケースは、個包装のチョコレート菓子を入れる合成樹脂箱であって、箱１と箱２とが蓋フラップ１８，２８で接続しており、この蓋フラップ１８の幅は後述する側壁１５とまた蓋フラップ２８の幅は後述する側壁２５と、ほぼ同じである。従って箱１，２は互いに相手の箱の蓋となる。【００１８】  箱１は、図２で表すように、背壁１０に付いて三方に側壁１１，１１，１５を有する。側壁１１，１１は端フラップ１３，１３を、側壁１５は端フラップ１６を有する。この端フラップ１６は箱１の前壁となる。またこの端フラップ１６の両角には差し込み片１７，１７が設けられておりこの差し込み片１７，１７を差し込むための切り込み部１４，１４が対応する端フラップ１３，１３に設けられている。なお側壁１１，１１の側壁１５側の辺は各々内側へ折り込むための折り込み片１２を備えている。箱２は、図１とは対称的に描いているが、背壁２０に側壁２１，２１，２５を有し、側壁２１は端フラップ２３を、側壁２５は端フラップ２６を有する。端フラップ２６は箱２の前壁となるものである。端フラップ２６の両角は差し込み片２７，２７を有する。端フラップ２３は前記差し込み片２７を差し込むための切り込み部２４を有する。側壁２１の側壁２５側の辺には折り込み片２２が設けられている。【００１９】  そこで、側壁１１，２１、折り込み片１２，２２、端フラップ１３，２３、側壁１５，２５、端フラップ１６，２６を各々の境で谷折りして、差し込み片１７を切り込み部１４に、差し込み片２７を切り込み部２４に、各々差し込むことで、箱１と箱２とが形成される。この時箱１と箱２とは蓋フラップ１８，２８で一繋がりである。そして背壁１０と蓋フラップ１８との間及び背壁２０と蓋フラップ２８との境で谷折りすると、図３で表すように、箱１が箱２のまた箱２が箱１の蓋になり、端フラップ１６と端フラップ２６とが密着して、２個の箱１，２が閉じられることになる。なおこの閉じた状態で箱１，２にスリーブを被せるようにしても良い。【００２０】  前記閉じた状態の箱１，２は、これにて一つの纏まりのある所要のボリューム感が得られるものであるが、封筒に入れて送ろうとする時には、このままでは小さな封筒では送れず大きな封筒でも箱の角で破いてしまう虞がある。そこで図１のように開くことでおよそ半分の厚さになり封筒に納めることが出来るようになる。なお開いた状態で被せることが可能なスリーブを備えるようにしても良い。【００２１】  なお実施例１の箱１，２は、差し込み片１７，２７と切り込み部１４、２４とによって組み立てや展開が自在であるものとしているが、初めから組み上がったものとして提供することが出来る。また差し込み片１７，２７や切り込み部１４，２４の構成を有せず、端フラップ１３，１３と端フラップ１６とを、また端フラップ２３，２３と端フラップ２６とを、接着して成るものとして提供することが可能である。この実施例の場合には展開は行えない。
【実施例２】
【００２２】  図４で表す実施例は、実施例１で２個の箱１，２を閉じて端フラップ１６と端フラップ２６とを密着させた図３の状態を固定するための着脱手段を追加したものに関する。すなわち箱１側の端フラップ１６の中央部で側壁１５に近い箇所にＵ字形状の切り込み部１９を設けて、折り線１００から山折り（外方に折る）した時に差し込み片１０１が形成されるようにして、この差し込み片１０１が差し込み可能な切り込み部２９を箱２側の端フラップ２６に設けて成る。【００２３】  そこで箱１，２を閉じた時に、差し込み片１０１を起こして切り込み部２９に差し込むようにすると、この閉じた状態が固定されて不本意には開かなくなる。なお開く場合には差し込み片１０１を切り込み部２９から抜き出すようにする。
【実施例３】
【００２４】  図５及び図６で表す実施例は、名刺ケースとして実施例１と同じ構成の紙製の２個の箱１，２を開いて双方の背壁１０，２０を近接させて立て掛けるべく、この近接状態を保つためのブリッジとなる差し込み片１０４を設けて成る物品等の収容ケースを表す。すなわち箱１側の背壁１０の中央部で側壁１５に近い箇所に舌形状の切り込み部１０２を設けて折り線１０３から山折り（外方に折る）した時に差し込み片１０４が形成されるようにして、この差し込み片１０４を差し込み可能な切り込み部２００を箱２側の背壁２０に設けて成る。【００２５】  図６で表すように、２個の箱１，２が開き切った状態を差し込み片１０４によって固定すると、箱１，２が互いに支え合って立つことが出来る。箱１は５０枚分の名刺束Ｍ１を収めることが出来、箱２は５０枚分の名刺束Ｍ２を収めることが出来る。これを封筒に入れる時には図１で表すように平に開いておくのであるが、これを展示する時には更に開いて差し込み片１０４を切り込み部２００に差し込んで立てるようにするのである。名刺は端フラップ１６，２６の蓋フラップ１８，２８に近い側から取り出すことが出来る。なおこの実施例のり収容ケースは名刺ケースとして構成されたものであり、名刺束Ｍ１，Ｍ２は収容物であってこの発明の必須要件ではない。
【産業上の利用可能性】
【００２６】  この発明は宣伝用のフライヤーや商品サンプルをあるいは絵はがきを収納するケースなどとして活用することが可能であり、これ等もまたこの発明の権利範囲内のものである。
【符号の説明】
【００２７】  １      箱１            １０    背壁            １１    側壁
１２    折り込み片      １３    端フラップ      １４    切り込み部
１５    側壁            １６    端フラップ      １７    差し込み片
１８    蓋フラップ      １９    切り込み部      １００  折り線
１０１  差し込み片      １０２  切り込み部      １０３  折り線
１０４  差し込み片      ２      箱２            ２０    背壁
２１    側壁            ２２    折り込み片      ２３    端フラップ
２４    切り込み部      ２５    側壁            ２６    端フラップ
２７    差し込み片      ２８    蓋フラップ      ２９    切り込み部
２００  切り込み部      Ｍ１    名刺束          Ｍ２    名刺束
【図１】
2012192974.tif 000003
【図２】
2012192974.tif 000004
【図３】
2012192974.tif 000005
【図４】
2012192974.tif 000006
【図５】
2012192974.tif 000007
【図６】
2012192974.tif 000008